(57)【要約】【課題】少なくともコバルトを含有する塩化ニッケル水溶液に、酸化剤と中和剤を添加して酸化中和処理に付し、コバルトを含む水酸化物澱物を生成し、コバルトを除去した終液を得る際、前記酸化剤の添加量を、供給される塩化ニッケル水溶液中のコバルトの変動に応じて過剰量の添加を防止して安定的に制御する方法を提供する。【解決手段】前記酸化剤の添加量を、前記塩化ニッケル水溶液の供給量及びコバルト濃度の変動に応じて、下記の関係式（１）を満足する酸化剤添加量に調整することを特徴とする。  関係式（１）：酸化剤添加量（ｋｇ／Ｈ）＝始液供給量（ｍ３／Ｈ）×（Ａ＋Ｂ）（式中Ａは、「始液中のＣｏを酸化するために必要な酸化剤量」を表す。またＢは、始液Ｃｏ濃度と生成澱物中のＮｉ／Ｃｏ質量比の関係式を用いて求めた「生成澱物中のＮｉを酸化するために必要な酸化剤量」を表す。）。【選択図】なし【特許請求の範囲】
【請求項１】
少なくともコバルトを含有する塩化ニッケル水溶液からなる始液に、酸化剤と中和剤を添加して酸化中和処理に付し、コバルトを含む水酸化物澱物を生成し、コバルトを除去した終液を得る際、
前記酸化剤の添加量を、前記塩化ニッケル水溶液の供給量及びコバルト濃度の変動に応じて、下記の関係式（１）を満足する酸化剤添加量に調整することを特徴とする酸化中和処理の制御方法。
関係式（１）：酸化剤添加量（ｋｇ／Ｈ）＝始液供給量（ｍ３／Ｈ）×（Ａ＋Ｂ）
（式中Ａは、「始液中のＣｏを酸化するために必要な酸化剤量（ｇ／Ｌ）」を表す。またＢは、始液Ｃｏ濃度と生成澱物中のＮｉ／Ｃｏ質量比の関係式を用いて求めた「生成澱物中のＮｉを酸化するために必要な酸化剤量（ｇ／Ｌ）」を表す。）
【請求項２】
少なくともコバルトを含有する塩化ニッケル水溶液からなる始液に、塩素ガスを酸化剤とし、一方炭酸ニッケルを中和剤として添加する酸化中和処理に付し、コバルトを含む水酸化物澱物を生成し、コバルトを除去した終液を得る際、
前記塩素ガスの添加量を、前記塩化ニッケル水溶液の供給量及びコバルト濃度の変動に応じて、下記の関係式（２）を満足する塩素ガス吹込み量に調整することを特徴とする酸化中和処理の制御方法。
関係式（２）：塩素ガス吹込み量（ｋｇ／Ｈ）＝始液供給量（ｍ３／Ｈ）×（Ａ´＋Ｂ´）
但し、Ａ´＝始液Ｃｏ濃度（ｇ／Ｌ）×３５．５／５８．９、
Ｂ´＝始液Ｃｏ濃度（ｇ／Ｌ）×｛−１．６７１４ｌｎ（始液Ｃｏ濃度（ｇ／Ｌ）＋２．８０９｝×３５．５／５８．７｝
（式中の｛−１．６７１４ｌｎ（始液Ｃｏ濃度（ｇ／Ｌ））＋２．８０９｝は、生成澱物中のＮｉ／Ｃｏ質量比を表す。また、式中の３５．５、５８．９及び５８．７は、それぞれ塩素、コバルト及びニッケルの原子量を表す。）
【請求項３】
前記塩化ニッケル水溶液は、ニッケルが１００〜１２０ｇ／Ｌ、コバルトが０．５〜２．０ｇ／Ｌ、及び鉄が０．１ｇ／Ｌ以下の濃度で含有することを特徴とする請求項１又は２に記載の酸化中和処理の制御方法。
【請求項４】
前記酸化中和処理において、酸化還元電位（銀／塩化銀電極基準）を６００〜１１００ｍＶ及びｐＨを４．０〜６．０に調整することを特徴とする請求項１又は２に記載の酸化中和処理の制御方法。
【発明の詳細な説明】
【技術分野】
【０００１】
本発明は、塩化ニッケル水溶液の酸化中和処理の制御方法に関し、さらに詳しくは、少なくともコバルトを含有する塩化ニッケル水溶液に、酸化剤と中和剤を添加して酸化中和処理に付し、コバルトを含む水酸化物澱物を生成し、コバルトを除去した終液を得る際、前記酸化剤の添加量を、供給される塩化ニッケル水溶液（以下、始液と呼称する場合がある。）中のコバルトの変動に応じて過剰量の添加を防止して安定的に制御する方法に関する。
【背景技術】
【０００２】
従来、ニッケル製錬において、原料中に含まれるニッケル、コバルト、鉄などの金属成分を浸出して得た浸出液から、主としてコバルト及び鉄を除去するため、酸化剤と中和剤を添加して酸化還元電位とｐＨを制御しながら、これらを３価のイオンに酸化し、水酸化物として沈澱生成させる酸化中和処理が用いられ、不純物元素の含有量が高い塩化ニッケル水溶液から高純度の塩化ニッケル水溶液を製造している（例えば、特許文献１参照）。
【０００３】
例えば、酸化剤として塩素ガス、及び中和剤として炭酸ニッケルを用いるときのコバルトの除去反応としては、下記の化学反応式（１）で示される。ここで、２価のコバルトイオンは、水酸化コバルト（ＩＩＩ）として沈澱生成される。なお、このとき、２価のニッケルの一部も酸化され、水酸化ニッケル（ＩＩＩ）として沈澱生成される。
【０００４】
化学反応式（１）：Ｍ２＋＋１／２Ｃｌ２＋３／２ＮｉＣＯ３＋３／２Ｈ２Ｏ＝Ｍ（ＯＨ）３＋３／２Ｎｉ２＋＋Ｃｌ−＋３／２ＣＯ２
（式中Ｍは、Ｎｉ又はＣｏを表す。）
【０００５】
ところで、実際的な酸化中和処理工程では、最終製品中に含まれる不純物元素の濃度を所望値に低下するため、塩化ニッケル水溶液中のコバルト及び鉄をほぼ完全に除去しなければならない。したがって、通常は、酸化中和処理の終液中の不純物元素濃度を計測し、その値が管理値を超えないように、酸化中和処理工程に添加する酸化剤量を増減させている。なお、不純物元素を除去するためには、理論上、不純物元素の当量見合いの酸化剤を添加すればよいが、一般的に塩化ニッケル水溶液中のニッケル濃度が高いため、ニッケルもコバルトと同様に反応によって酸化され水酸化物を生成するため、酸化中和反応で得られる水酸化物澱物中にはニッケルの水酸化物も相当量含まれている。
【０００６】
このニッケルの水酸化物生成に使用される酸化剤及び中和剤の量は、操業コスト及び工程外へのニッケルロスの観点から、低い方が望ましい。一方、これらの添加剤の不足により反応が不十分となった結果、不純物元素が終液中へリークすれば製品品質の悪化を招くため、品質を優先した過剰管理を行わざるを得ないという問題点があった。
さらに、水酸化ニッケル（ＩＩＩ）の生成量は、始液の供給量や不純物元素濃度と比例関係にはなく、例えば、終液中のコバルト濃度を一定に保持するような条件下でも変動するため予測が困難であり、しかも終液中のコバルト濃度を確認してから酸化剤及び中和剤の添加量の調整を行わざるを得ないため、酸化中和処理工程へ供給される始液の液量及びコバルト濃度の変動に対し、常に遅れた添加量の調整アクションしかとれないという問題があった。
【０００７】
このような状況下、少なくともコバルトを含有する塩化ニッケル水溶液を酸化中和処理に付して塩化ニッケル水溶液を精製する際、酸化剤の添加量を、始液のコバルト濃度の変動に応じて、過剰量の添加を防止して安定的に制御する方法が求められていた。
【発明の概要】
【発明が解決しようとする課題】
【０００８】
本発明の目的は、上記の従来技術の問題点に鑑み、少なくともコバルトを含有する塩化ニッケル水溶液に、酸化剤と中和剤を添加して酸化中和処理に付し、コバルトを含む水酸化物澱物を生成し、コバルトを除去した終液を得る際、前記酸化剤の添加量を、供給される塩化ニッケル水溶液中のコバルトの変動に応じて過剰量の添加を防止して安定的に制御する方法を提供することにある。
【課題を解決するための手段】
【０００９】
本発明者は、上記目的を達成するために、少なくともコバルトを含有する塩化ニッケル水溶液からなる始液に、酸化剤と中和剤を添加して酸化中和処理に付し、コバルトを含む水酸化物澱物を生成し、コバルトを除去した終液を得る際、酸化剤添加量の制御方法について、鋭意研究を重ねた結果、前記塩化ニッケル水溶液の供給量及びコバルト濃度の変動に応じて、始液供給量と、始液中のＣｏを酸化するために必要な酸化剤量を表す項目及び始液Ｃｏ濃度と生成澱物中のＮｉ／Ｃｏ質量比の関係式を用いて求めた生成澱物中のＮｉを酸化するために必要な酸化剤量を表す項目とから構成される関係式を満足するように、前記酸化剤の添加量を調整する制御方法を、また、特に、塩素ガスを酸化剤とし一方炭酸ニッケルを中和剤として添加する酸化中和処理においては、塩化ニッケル水溶液の供給量及びコバルト濃度の変動に応じて、下記の関係式（２）を満足するように、塩素ガスの添加量を調整する制御方法を採用したところ、供給される塩化ニッケル水溶液中のコバルトの変動に応じて過剰量の添加を防止して安定的に制御することができることを見出し、本発明を完成した。
【００１０】
関係式（２）：塩素ガス吹込み量（ｋｇ／Ｈ）＝始液供給量（ｍ３／Ｈ）×（Ａ´＋Ｂ´）
但し、Ａ´＝始液Ｃｏ濃度（ｇ／Ｌ）×３５．５／５８．９、
Ｂ´＝始液Ｃｏ濃度（ｇ／Ｌ）×｛−１．６７１４ｌｎ（始液Ｃｏ濃度（ｇ／Ｌ）＋２．８０９｝×３５．５／５８．７｝
（式中の｛−１．６７１４ｌｎ（始液Ｃｏ濃度（ｇ／Ｌ））＋２．８０９｝は、生成澱物中のＮｉ／Ｃｏ質量比を表す。また、式中の３５．５、５８．９及び５８．７は、それぞれ塩素、コバルト及びニッケルの原子量を表す。）
【００１１】
すなわち、本発明の第１の発明によれば、少なくともコバルトを含有する塩化ニッケル水溶液からなる始液に、酸化剤と中和剤を添加して酸化中和処理に付し、コバルトを含む水酸化物澱物を生成し、コバルトを除去した終液を得る際、
前記酸化剤の添加量を、前記塩化ニッケル水溶液の供給量及びコバルト濃度の変動に応じて、下記の関係式（１）を満足する酸化剤添加量に調整することを特徴とする酸化中和処理の制御方法が提供される。
関係式（１）：酸化剤添加量（ｋｇ／Ｈ）＝始液供給量（ｍ３／Ｈ）×（Ａ＋Ｂ）
（式中Ａは、「始液中のＣｏを酸化するために必要な酸化剤量（ｇ／Ｌ）」を表す。またＢは、始液Ｃｏ濃度と生成澱物中のＮｉ／Ｃｏ質量比の関係式を用いて求めた「生成澱物中のＮｉを酸化するために必要な酸化剤量（ｇ／Ｌ）」を表す。）
【００１２】
また、本発明の第２の発明によれば、少なくともコバルトを含有する塩化ニッケル水溶液からなる始液に、塩素ガスを酸化剤とし、一方炭酸ニッケルを中和剤として添加する酸化中和処理に付し、コバルトを含む水酸化物澱物を生成し、コバルトを除去した終液を得る際、
前記塩素ガスの添加量を、前記塩化ニッケル水溶液の供給量及びコバルト濃度の変動に応じて、下記の関係式（２）を満足する塩素ガス吹込み量に調整することを特徴とする酸化中和処理の制御方法が提供される。
関係式（２）：塩素ガス吹込み量（ｋｇ／Ｈ）＝始液供給量（ｍ３／Ｈ）×（Ａ´＋Ｂ´）
但し、Ａ´＝始液Ｃｏ濃度（ｇ／Ｌ）×３５．５／５８．９、
Ｂ´＝始液Ｃｏ濃度（ｇ／Ｌ）×｛−１．６７１４ｌｎ（始液Ｃｏ濃度（ｇ／Ｌ）＋２．８０９｝×３５．５／５８．７｝
（式中の｛−１．６７１４ｌｎ（始液Ｃｏ濃度（ｇ／Ｌ））＋２．８０９｝は、生成澱物中のＮｉ／Ｃｏ質量比を表す。また、式中の３５．５、５８．９及び５８．７は、それぞれ塩素、コバルト及びニッケルの原子量を表す。）
【００１３】
また、本発明の第３の発明によれば、第１又は２の発明において、前記塩化ニッケル水溶液は、ニッケルが１００〜１２０ｇ／Ｌ、コバルトが０．５〜２．０ｇ／Ｌ、及び鉄が０．１ｇ／Ｌ以下の濃度で含有することを特徴とする酸化中和処理の制御方法が提供される。
【００１４】
また、本発明の第４の発明によれば、第１又は２の発明において、前記酸化中和処理において、酸化還元電位（銀／塩化銀電極基準）を６００〜１１００ｍＶ及びｐＨを４．０〜６．０に調整することを特徴とする酸化中和処理の制御方法が提供される。
【発明の効果】
【００１５】
本発明の塩化ニッケル水溶液の酸化中和処理の制御方法は、少なくともコバルトを含有する塩化ニッケル水溶液に、酸化剤と中和剤を添加して酸化中和処理に付し、コバルトを含む水酸化物澱物を生成し、コバルトを除去した終液を得る際、前記酸化剤の添加量を、始液中のコバルトの変動に応じて過剰量の添加を防止して安定的に制御することができるので、その工業的価値は極めて大きい。さらに、酸化剤として塩素ガスを用いる場合、有毒ガスの余剰量の吹込みを防止することができるので、コスト上及び安全上より有利である。
【図面の簡単な説明】
【００１６】
【図１】塩化ニッケル水溶液の酸化中和処理において、供給する始液のコバルト濃度と生成澱物中のＮｉ／Ｃｏ質量比の関係を表す図である。
【図２】酸化中和処理の塩素吹込み量の理論量に対する実使用量の比率の変動を示す図である。
【発明を実施するための形態】
【００１７】
以下、本発明の塩化ニッケル水溶液の酸化中和処理の制御方法を詳細に説明する。
本発明の塩化ニッケル水溶液の酸化中和処理の制御方法は、少なくともコバルトを含有する塩化ニッケル水溶液からなる始液に、酸化剤と中和剤を添加して酸化中和処理に付し、コバルトを含む水酸化物澱物を生成し、コバルトを除去した終液を得る際、前記酸化剤の添加量を、前記塩化ニッケル水溶液の供給量及びコバルト濃度の変動に応じて、下記の関係式（１）を満足する酸化剤添加量に調整することを特徴とする。
関係式（１）：酸化剤添加量（ｋｇ／Ｈ）＝始液供給量（ｍ３／Ｈ）×（Ａ＋Ｂ）
（式中Ａは、「始液中のＣｏを酸化するために必要な酸化剤量（ｇ／Ｌ）」を表す。またＢは、始液Ｃｏ濃度と生成澱物中のＮｉ／Ｃｏ質量比の関係式を用いて求めた「生成澱物中のＮｉを酸化するために必要な酸化剤量（ｇ／Ｌ）」を表す。）
【００１８】
本発明において、少なくともコバルトを含有する塩化ニッケル水溶液からなる始液に、酸化剤と中和剤を添加して酸化中和処理に付し、コバルトを含む水酸化物澱物を生成し、コバルトを除去した終液を得る際、始液供給量と、始液中のＣｏを酸化するために必要な酸化剤量を表す項目及び始液Ｃｏ濃度と生成澱物中のＮｉ／Ｃｏ質量比の関係式を用いて求めた生成澱物中のＮｉを酸化するために必要な酸化剤量を表す項目とから構成される関係式（１）を満足するように調整する制御方法を採用することが重要である。
【００１９】
これによって、従来の酸化中和処理の終液中のコバルト等の不純物元素濃度を計測し、その値が管理値を超えないように、添加する酸化剤量を増減させる制御方法での問題点を解消して、酸化剤添加量を始液中のコバルトの変動に応じて過剰量の添加を防止して安定的に制御することができる。すなわち、従来予測が困難であった酸化中和処理の酸化剤の総合反応量を、始液中のコバルトの変動に即応して、上記関係式（１）から計算し適切な酸化剤量に調整することによって、過剰な酸化剤の添加を防止することができる。
【００２０】
例えば、酸化剤として塩素ガスを、中和剤として炭酸ニッケルを用いた際の関係式の導出について図を用いて説明する。
図１は、塩化ニッケル水溶液の酸化中和処理の実用設備において、供給する始液のコバルト濃度と生成澱物中のＮｉ／Ｃｏ質量比の関係を求めたものである。ここで、塩化ニッケル水溶液の組成としては、ニッケルが１００〜１２０ｇ／Ｌ、コバルトが０．５〜２．０ｇ／Ｌ、及び鉄が０．１ｇ／Ｌ以下の濃度で含有するものである。
図１より、生成澱物中のＮｉ／Ｃｏ質量比は、始液コバルト濃度によって規定されるものであること、及び始液コバルト濃度が高くなるにつれて、生成澱物中のＮｉ／Ｃｏ質量比は、｛−１．６７１４ｌｎ（始液Ｃｏ濃度（ｇ／Ｌ））＋２．８０９｝なる関係式に基づいて低下することが分かる。すなわち、始液コバルト濃度が高い程、ニッケル含有割合が低い生成澱物が得られる。
【００２１】
上記生成澱物中のＮｉ／Ｃｏ質量比を表す関係式を、上記関係式（１）に導入することで、下記の関係式（２）が得られる。
関係式（２）：塩素ガス吹込み量（ｋｇ／Ｈ）＝始液供給量（ｍ３／Ｈ）×（Ａ´＋Ｂ´）
但し、Ａ´＝始液Ｃｏ濃度（ｇ／Ｌ）×３５．５／５８．９、
Ｂ´＝始液Ｃｏ濃度（ｇ／Ｌ）×｛−１．６７１４ｌｎ（始液Ｃｏ濃度（ｇ／Ｌ）＋２．８０９｝×３５．５／５８．７｝
（式中の｛−１．６７１４ｌｎ（始液Ｃｏ濃度（ｇ／Ｌ））＋２．８０９｝は、生成澱物中のＮｉ／Ｃｏ質量比を表す。また、式中の３５．５、５８．９及び５８．７は、それぞれ塩素、コバルト及びニッケルの原子量を表す。）
【００２２】
したがって、少なくともコバルトを含有する塩化ニッケル水溶液からなる始液に、塩素ガスを酸化剤とし、一方炭酸ニッケルを中和剤として添加する酸化中和処理に付し、コバルトを含む水酸化物澱物を生成し、コバルトを除去した終液を得る際、前記塩素ガスの添加量を、前記塩化ニッケル水溶液の供給量及びコバルト濃度の変動に応じて、上記の関係式（２）を満足する塩素ガス吹込み量に調整することによって、塩素ガスの添加量の制御が行なえる。
【００２３】
例えば、始液の供給量及びコバルト濃度の変動への対応としては、定期的に始液コバルト濃度を測定し、その都度供給量に対応した塩素吹込み量に調整することによって、過剰な塩素ガスの吹込みを防止した上で終液のコバルト濃度を管理濃度以下に保つことが可能となる。
【００２４】
上記制御方法に用いる始液としては、少なくともコバルトを含有する塩化ニッケル水溶液が用いられるが、その組成としては、特に限定されるものではなく、例えば、ニッケルが１００〜１２０ｇ／Ｌ、コバルトが０．５〜２．０ｇ／Ｌ、及び鉄が０．１ｇ／Ｌ以下の濃度で、２価の状態で含有するものが好ましく用いられる。
すなわち、ニッケルとコバルトには、特別の制限はなく、一方、鉄濃度が０．１ｇ／Ｌを超えると、鉄の酸化に伴う酸化剤及び中和剤の使用量を考慮することが不可欠となる。
【００２５】
そのため、コバルトと鉄を含有する塩化ニッケル水溶液では、酸化中和処理を２段階で行うことが好ましい。例えば、まず、低ｐＨ及び低酸化還元電位の条件下に鉄を主体とする水酸化澱物を生成除去する第１の酸化中和処理を行い、次いで、それよりも高ｐＨ及び高酸化還元電位の条件下にコバルトを主体とする水酸化澱物を生成除去する第２の酸化中和処理を行なうことが望ましい。なお、２価の状態でコバルトと鉄を含有する塩化ニッケル水溶液の酸化中和反応では、鉄、コバルト、ニッケルの順に酸化加水分解される。
【００２６】
ここで、第２の酸化中和処理としては、特に限定されるものではなく、酸化還元電位（銀／塩化銀電極基準）を６００〜１１００ｍＶ及びｐＨを４．０〜６．０に調整することが好ましい。すなわち、酸化還元電位（銀／塩化銀電極基準）が６００ｍＶ未満又はｐＨが４．０未満では、コバルトの沈澱生成が不十分である。一方、酸化還元電位（銀／塩化銀電極基準）が１１００ｍＶ又はｐＨが６．０を超えると、ニッケルの共沈澱量が増大する。
【００２７】
上記制御方法に用いる酸化剤としては、特に限定されるものではなく、塩化物水溶液中の２価のコバルトを酸化することができる、塩素ガス、次亜塩素酸塩、過酸化水素水等の酸化剤が用いられるが、この中で、安価で、かつ塩化物水溶液に余分の汚染を生じさせない塩素ガスが好ましい。
【００２８】
上記制御方法に用いる中和剤としては、炭酸ナトリウム、水酸化ナトリウム等のアルカリ塩、炭酸ニッケル、水酸化ニッケル等が用いられるが、この中で、安価で、かつ塩化物水溶液に余分の汚染を生じさせない炭酸ニッケルが好ましい。
【実施例】
【００２９】
以下に、本発明の実施例及び比較例によって本発明をさらに詳細に説明するが、本発明は、これらの実施例によってなんら限定されるものではない。なお、実施例及び比較例で用いた金属の分析はＩＣＰ発光分析法で行った。
【００３０】
（実施例１、比較例１）
実操業設備により下記の条件で酸化中和処理を行い、その際、本発明の方法に従って、酸化中和反応槽での滞留時間の約３倍にあたる４時間毎に始液コバルト濃度の測定を実施し、それにより上記関係式（２）から求めた塩素ガス吹込み量で制御を実施する手段（実施例１）と、従来法である、酸化中和反応槽から産出される終液中のコバルト濃度を測定し、それにより求めた塩素吹込み量で制御を実施する手段（比較例１）を行ない、塩素吹込み量の澱物中の金属分の酸化反応理論当量に当たる理論量に対する実使用量の比率の変動具合を監視した。結果を図２に示す。
【００３１】
「酸化中和条件」
（１）始液供給量：２１００〜２６００ｍ３／日
（２）酸化剤：塩素ガス（濃度：９０質量％）
（３）中和剤：炭酸ニッケル
（４）制御酸化還元電位（銀／塩化銀電極基準）：１０３０〜１０５０ｍＶ
（５）制御ｐＨ：４．４〜４．５
（６）始液Ｃｏ濃度：０．９〜１．８ｇ／Ｌ
（７）始液Ｎｉ濃度：１００〜１１０ｇ／Ｌ
【００３２】
図２は、酸化中和処理の塩素吹込み量の理論量に対する実使用量の比率の変動を示す。ここで、横軸は操業日であり、図の左側の６／１〜７／３１の期間は、従来法である、酸化中和反応槽から産出される終液中のコバルト濃度を測定し、それにより求めた塩素吹込み量で制御を実施する手段（比較例１）であり、また、図の右側の９／１〜１０／２９の期間は、本発明の方法に従って、酸化中和反応槽での滞留時間の約３倍にあたる４時間毎に始液コバルト濃度の測定を実施し、それにより上記関係式（２）から求めた塩素ガス吹込み量で制御を実施する手段（実施例１）である。
【００３３】
図２より、比較例１の期間（６／１〜７／３１）では、酸化中和槽からの終液中のコバルト濃度の測定により塩素吹込み量を決定するので、吹込み量が最大で前記理論量の１．７倍と過剰になっており、また、一旦吹込み量を増加した後は、低下アクションをとるべき基準が不明であるため、吹込み量の低下変更に１０日間前後かかっていることが分かる。
一方、実施例１期間（９／１〜１０／２９）では、始液の供給量又はコバルト濃度の変動に対し、適切な吹込み量変更アクションが取れており、前記理論量に対する実使用量の比率が塩素ガス濃度９０質量％に見合う１．０〜１．２の間で安定していることが分かる。
【産業上の利用可能性】
【００３４】
以上より明らかなように、本発明の塩化ニッケル水溶液の酸化中和処理の制御方法は、少なくともコバルトを含有する塩化ニッケル水溶液に、酸化剤と中和剤を添加して酸化中和処理に付し、コバルトを含む水酸化物澱物を生成し、コバルトを除去した終液を得る際、前記酸化剤の添加量を、始液中のコバルトの変動に応じて過剰量の添加を防止して安定的に制御することができるので、特に、酸化中和処理の酸化剤の制御方法に好適に用いられる。
【先行技術文献】
【特許文献】
【００３５】
【特許文献１】特開２００５−２９８３０９号公報（第１頁、第２頁）
【図１】
2010168258.tif 000002
【図２】
2010168258.tif 000003